【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
患者の体温を変化させるための装置であって、
該装置は、前記患者の身体の少なくとも一部をその中に受容するための内部空間を画定するエンクロージャを備え、
該エンクロージャは、患者の身体と液状熱媒体との間での熱の移動を促進するよう、液状熱媒体を前記患者の身体のエンクロージャ内に受容された部分と直接に接触させるために導くように構成されており、
前記エンクロージャは、様々な大きさの患者を収容するために、少なくとも一つの弾性的に変形可能なガセットを有している、
ことを特徴とする装置。
【請求項２】
患者の体温を変化させるための装置であって、
前記患者の身体の少なくとも一部をその中に受容するための内部空間を画定するエンクロージャであって、前記内部空間と流体連通し、前記患者の身体と液状熱媒体との間での熱の移動を促進するよう、液状熱媒体を患者の身体と直接に液体接触させるために、液状熱媒体を前記内部空間内に受け入れる少なくとも一つの入口部と、エンクロージャの内部空間と流体連通し、前記液状熱媒体を前記内部空間から排出させる少なくとも一つの出口部と、を有するエンクロージャと、
前記液状熱媒体の供給を維持するための貯留器と、
前記エンクロージャの入口部を前記貯留器に流体的に接続する供給導管と、
前記液状熱媒体を、前記貯留器から、前記供給導管を通り、前記入口部を介して前記エンクロージャの内部空間内へ圧送するポンプと、
前記液状熱媒体が前記エンクロージャから前記貯留器へ戻るように流れることができるようにするために、エンクロージャの出口部を貯留器に流体的に接続する戻り導管と、
前記供給導管および戻り導管を前記貯留器に結合する第１継手と、
前記供給導管および戻り導管を前記エンクロージャに結合する第２継手と、
を備えていることを特徴とする装置。
【請求項３】
患者の体温を変化させるための装置であって、
前記患者の身体の少なくとも一部をその中に受容するための内部空間を画定するエンクロージャと、
前記内部空間と流体連通し、前記患者の身体と液状熱媒体との間での熱の移動を促進するよう、液状熱媒体を患者の身体と直接に接触させるために、液状熱媒体を前記内部空間内に受け入れる少なくとも一つの入口部と、
請求項２２に記載の貯留器と、
前記液状熱媒体を、前記供給導管を介して前記貯留器から前記入口部へ圧送するポンプと、
を備えていることを特徴とする装置。
【請求項４】
患者の体温を変化させている間に、当該患者に対し心肺機能蘇生法を実行する方法であって、
前記患者の少なくとも胸部領域を、複数の液体通路を有するカバーで覆い、
液状熱媒体と前記患者の身体との間での熱の移動を促進するよう、液状熱媒体を患者の胸部領域と接触させるために、前記カバー内の液体通路を通って流れるように液状熱媒体を指向させ、
前記患者の肺に酸素を供給し、
前記液状熱媒体が前記カバー内の液体通路を通って流れる間に、前記カバーを介して直接に患者の胸部領域を圧迫する、
ことを特徴とする方法。
【請求項５】
前記患者の少なくとも胸部領域を覆うステップは、患者の首から下方を前記カバーで覆うステップを備える、ことを特徴とする請求項４に記載の方法。
【請求項６】
前記カバー内の液体通路を通って流れるように液状熱媒体を指向させるステップは、少なくとも幾らかの量の液状熱媒体を、患者の中心線から外れたカバー内の通路を通るように指向させるステップを備え、前記中心線から外れた通路は、前記胸部領域の圧迫中の閉塞を免れる、ことを特徴とする請求項４に記載の方法。
【請求項７】
前記カバー内の液体通路を通って流れるように液状熱媒体を指向させるステップは、液状熱媒体が、前記通路から流れて患者の身体と直接に液体接触できるようにするために、前記カバー内の少なくとも一つの開口を通るように液状熱媒体を指向させることを更に備えている、ことを特徴とする請求項４に記載の方法。
【請求項８】
患者の体温を調節するための装置であって、
前記患者の身体の少なくとも胴部を受容するために大きさ及び形状が定められたエンクロージャと、
約０℃と約５℃の間の温度を有する液状熱媒体と、
前記エンクロージャに接続するのに適合し、該エンクロージャを通じて液状熱媒体を分布させる液体供給システムと、
液体供給システムに流体的に接続され、前記液状熱媒体を、患者の身体との直接の流体接触のために、前記液体供給システムを介して前記エンクロージャ内に駆動するポンプと、を備え、
前記ポンプは、１分間当たり約６リットルより大きい流量で、前記エンクロージャを通して液状熱媒体を駆動する大きさ及び形態に形造られている、
ことを特徴とする装置。
【請求項９】
前記ポンプは、１分間当たり約１０リットルより大きい流量で、前記エンクロージャを通して液状熱媒体を駆動する大きさ及び形態に形造られている、ことを特徴とする請求項８に記載の装置。
【請求項１０】
前記ポンプは、１分間当たり約１４リットルより大きい流量で、前記エンクロージャを通して液状熱媒体を駆動する大きさ及び形態に形造られている、ことを特徴とする請求項９に記載の装置。
【請求項１１】
患者の体温を調節するための装置であって、
該装置は、前記患者の身体の少なくとも一部をその中に受容するための内部空間を画定するエンクロージャであって、前記患者の身体と液状熱媒体との間での熱の移動を促進するよう、液状熱媒体を前記患者の身体の前記エンクロージャ内に受容された部分と直接に接触させるために、液状熱媒体を包含するのに適合したエンクロージャと、
患者の呼吸の通路が液状熱媒体と接触しないように維持するために当該患者の頭部を位置決めする頭部位置決め体であって、患者の頭部の側部の側面に位置し、それにより患者の頭部が左右に回転することを防止する頭部位置決め体と、
を備えていることを特徴とする装置。
【請求項１２】
前記位置決め体は膨張可能である、ことを特徴とする請求項１１に記載の装置。
【請求項１３】
前記位置決め体は前記エンクロージャと一体である、ことを特徴とする請求項１２に記載の装置。
【請求項１４】
患者の体温を変化させるための装置であって、
該装置は、前記患者の身体の少なくとも一部をその中に受容するための内部空間を画定するエンクロージャであって、前記患者の身体と液状熱媒体との間での熱の移動を促進するために、液状熱媒体を移送して前記患者の身体の前記エンクロージャ内に受容された部分と直接に接触させるように構成されたエンクロージャと、
前記液状熱媒体を前記エンクロージャの内部空間から排出するための排出管と、を備え、
前記排出管の少なくとも一部は前記エンクロージャの真下に配置されると共に、前記排出管を開状態に維持して当該排出管の閉塞を阻止するために、開状態保持材が配設されている、
ことを特徴とする装置。
【請求項１５】
患者の中核体温を調節するための装置であって、
前記患者の身体の少なくとも一部をその中に受容するための内部空間を画定するエンクロージャと、
前記患者の身体と液状熱媒体との間での熱の移動を促進するよう、液状熱媒体が、前記患者の身体の前記エンクロージャ内に受容された部分と直接に接触するためにエンクロージャ内に流れ込むことができるようにする、エンクロージャの入口部と、
前記エンクロージャの入口部を通じてエンクロージャの内部空間に前記液状熱媒体を指向させる液体供給システムと、
前記液体供給システムに動力を供給し制御するために、電源と制御システムとユーザインタフェースとを備え、前記制御システムは、患者の中核体温に対する目標温度を用いて予めプログラムされている、制御ユニットと、
を備えていることを特徴とする装置。
【請求項１６】
前記制御システムは、患者の中核体温が目標温度よりも低くなることを防止するために、前記中核体温が目標温度の１℃の範囲内に達すると、前記液体供給システムを停止させるように予めプログラムされている、ことを特徴とする請求項１５に記載の装置。
【請求項１７】
前記制御システムは、患者の中核体温が目標温度よりも低くなると、ユーザに対し警告を発するように予めプログラムされている、ことを特徴とする請求項１５に記載の装置。
【請求項１８】
前記目標温度は約３２℃と約３４℃の間の温度である、ことを特徴とする請求項１５に記載の装置。
【請求項１９】
前記ユーザインタフェースはユーザからの入力を受信するのに適合している、ことを特徴とする請求項１５に記載の装置。
【請求項２０】
患者の中核体温を調節するための装置であって、
前記患者の身体の少なくとも一部をその中に受容するための内部空間を画定するエンクロージャと、
前記患者の身体と液状熱媒体との間での熱の移動を促進するよう、液状熱媒体が、前記患者の身体の前記エンクロージャ内に受容された部分と直接に接触するためにエンクロージャ内に流れ込むことができるようにする、エンクロージャの入口部と、
前記液状熱媒体が前記エンクロージャから排出されることができるようにするエンクロージャの出口部と、
該出口部と流体連通し、前記液状熱媒体を前記エンクロージャ内で所定高さに維持する筌状体と、
を備えていることを特徴とする装置。